(57)【特許請求の範囲】
【請求項１】
その運動方向に関連して横方向に方向付けられる支持ビーム（４）がそれに取着されるコンベヤベルト（５）を有し、かつ互いに垂直距離において配置され、各々２本の支持ケーブル（１，２）によって形成されかつ前記支持ビーム（４）の横方向端部に配置されるローラ（３）がそれに沿って動かされ得る２つの支持ウェブを有する物品を搬送するためのコンベヤ装置において、
前記支持ケーブル（１，２）が多数の保持フレーム（６）によって互いに接続され、
前記保持フレーム（６）が少なくとも２つのほぼ垂直に向けられたビーム（６１，６２）および後者を互いに接続しかつほぼ水平に向けられる少なくとも２本の支柱（６４，６６）を備えており、
前記少なくとも２つのほぼ垂直ビーム（６１，６２）が、ほぼ水平の支柱（６３，６５）によってさらに接続され、
前記コンベヤベルト（５）用の案内装置（８，８１）が、前記ほぼ水平の支柱（６３，６５）から下方に突出して、前記コンベヤベルト（５）の側縁部に沿って設置された波形の縁部（５１）上に位置し、
前記ローラ（３）の脱線を阻止することを特徴とするコンベヤ装置。
【請求項２】
カバーが前記保持フレーム（６）に取着されることを特徴とする請求項１に記載のコンベヤ装置。
【請求項３】
少なくとも複数の側部上で前記コンベヤベルト（５）を取り囲むハウジングが前記保持フレーム（６）に取着されることを特徴とする請求項１又は２に記載のコンベヤ装置。
【請求項４】
前記保持フレーム（６）が、クランプ（７）によって前記支持ケーブル（１，２）に取着され、前記クランプ（７）が締め付け力を高めるための装置を備えていることを特徴とする請求項１〜３のいずれか１項に記載のコンベヤ装置。
【請求項５】
前記クランプ（７）が互いに枢動しかつ円錐、弓形または傾斜面を備え弓形面（７４）を有するそれに割り当てられる２つの締め付け顎部（７１）を備え、前記支持ケーブル（１，２）に対する前記締め付け顎部（７１）の押圧が、前記支持クリップ（７５）が負荷されるとき高められることを特徴とする請求項４に記載のコンベヤ装置。
【請求項６】
前記支持ケーブル（１）の上方対の上方に、少なくとも１本のさらに他のケーブルが設けられ、それがまた前記保持フレーム（６）に接続されることを特徴とする請求項１〜５のいずれか１項に記載のコンベヤ装置。
【発明の詳細な説明】
【０００１】
【発明の属する技術分野】
主題を含む本発明は、その運動方向に関連して横方向に方向付けられる支持ビームがそれに取着されるコンベヤベルトを有し、かつまた互いに垂直距離において配置され、各々２本の支持ケーブルによって形成されかつ前記支持ビームの横方向端部に配置されるローラがそれに沿って動かされ得る２つの支持ウェブを有する物品を搬送するためのコンベヤ装置に関する。
【０００２】
【従来の技術】
ヨーロッパ特許第７４５５４５号から知られるかかるコンベヤ装置において、支持ケーブルの大きな支持距離がありかつ強い風力が作用しているとき、支持ケーブルは互いに関して必要な位置的安定性を持つことができない。
【０００３】
【特許文献１】
ヨーロッパ特許明細書第７４５５４５号
【０００４】
【発明が解決しようとする課題】
上記公報に記載されたコンベヤ装置では、支持ローラが支持ケーブルから外れるというような相対的にそれらの位置の変化を生じ、その結果として装置はもはや作動しない。
【０００５】
主題を含んでいる本発明の目的は、したがって、十分な作動が望ましくない風の状態下でも保証される範囲にかかるコンベヤ装置を改善することを基礎においている。
【０００６】
【課題を解決するための手段】
この目的は、本発明によれば、支持ケーブルが多数の保持フレームによって互いに堅固に接続されることによって達成される。
【０００７】
保持フレームはが少なくとも２つのほぼ垂直に向けられたビームおよび後者を互いに接続しかつ少なくともほぼ水平に向けられる少なくとも２本の支柱により具体化され、前記支柱がクランプによって前記支持ケーブルに取着される。ここで、少なくともほぼ垂直のビームはコンベヤベルト用の案内装置がその上に配置される少なくともほぼ水平の支柱によって、さらに接続され得る。
【０００８】
好適な実施の形態によれば、カバーが記保持フレームに取着されるか、または少なくとも複数の側部上でコンベヤベルトを取り囲むハウジングが前記保持フレームに取着される。
【０００９】
加えて、クランプが好ましくは締め付け力を高めるための装置を備えている。ここでは、前記クランプは互いに枢動しかつ円錐、弓形または傾斜面を備え弓形面を有するそれに割り当てられる２つの締め付け顎部を備え、その結果として支持ケーブルに対する締め付け顎部の押圧が、支持クリップが負荷されるとき高められる。
【００１０】
加えて、保持フレームにまた接続されるさらに他のケーブルが支持ケーブルの上方対の上方に設けられ得る。
【００１１】
本発明の主題は図面に示される例示の実施の形態を参照して以下でより詳細に説明される。
【００１２】
【発明の実施の形態】
本発明による装置は、支持フレームによって装置の端部に案内されかつ互いに垂直の距離において係留される２対の支持ケーブル１および２を有し、かつそれに沿って閉じ込められたコンベヤベルト５が支持ビーム４の横方向端部に取り付けられる支持ローラ３によって動かされ得る。コンベヤベルト５は支持ビーム４の下側に取着される。コンベヤベルト５はその側縁部に沿って装置の２つの端部ステーションで偏向ドラムによってコンベヤベルト５を案内できるために必要である波形の縁部５１を備えている。かかる装置は従来技術から知られている。
【００１３】
かかる装置の破壊なし作動に必要である、支持ケーブル１および２の位置的安定性を相対的に保証可能にするために、互いに間隔を置いて配置される保持フレーム６が支持ケーブル１および２を互いから一定の距離において保持するクランプ７によって取着される。コンベヤベルト５が偏向される端部領域において回転装置によって１８０°回転されるので、その両方のストランドは上方に向けられる。
【００１４】
これは図２からとくに明らかであるように、保持フレーム６は、ほぼ水平の支柱６３，６４，６５および６６によって互いに接続される垂直ビーム６１および６２から構成される。保持フレーム６は支柱６４および６６がそれに取着されるクランプ７によって支持ケーブル１および２に取着される。波形の縁部５１を所定位置に保持しかつ同時に支持ローラ３の脱線を阻止するのに役立つ案内面用のキャリヤ８は支柱６３および６５から下方に突出する。
【００１５】
支持ケーブル１および２は保持フレーム６によって互いから一定の垂直および水平距離に保持され、その結果としてコンベヤベルト５の破壊のない運動があらゆる作動条件下で保証される。加えて、装置用のカバーまたはハウジングが保持フレーム６上に配置され得る。加えて、保持フレーム６はまたライン９等用のキャリヤとして役立つことができる。
【００１６】
クランプ７の構造および作用は次に図４および図５を参照して説明される。クランプ７はその上方部７１ａが支持ケーブル１，２に対して支持する２つの締め付け顎部７１から構成される。しかしながら、支持ローラ３は支持ケーブル１，２上を走行するので、締め付け顎部７１は支持ケーブル１，２の側面に対してのみ支持することができる。締め付け顎部７１の上方部７１ａの下で、これらは、支持ケーブル１，２の方向に延びている軸線のまわりに互いに向かって僅かに枢動され得るように２本のボルト７２によって互いに接続されている。
【００１７】
下方領域７１ｂにおいて、切り欠き７３が締め付け顎部７１に設けられ、その切り欠き７３はそれらの下側に円錐の、弓形のまたは斜めの面を備えている。これらの切り欠き７３には円錐面を備えている支持体７４がありかつその支持体７４に、支柱６４および６６に接続される支持クリップ７５が取着される。加えて、締め付け顎部７１の上方部７１ａがそれによって支持ケーブル１，２に対して押圧される２つのグループの板ばね７６が支持クリップ７５と締め付け顎部７１との間に配置される。支持ケーブル１および２の直径の変化はこれらの板ばね７６によって吸収される。
【００１８】
引っ張り力が支持クリップ７５を介して保持フレーム６によって支持体７４に働かされると直ぐに、締め付け顎部７１の下方部７１ｂは同様に互いからさらに広げられ、その結果として上方顎部７１ａによって支持ケーブル１，２に働かされた締め付け力は増加される。これは、クランプ７が保持フレーム６によってクランプ７の荷重が高められるとき支持ケーブル１，２から離れるのを阻止されることを保証する。
【００１９】
保持フレーム６はかくして支持ローラ３の脱線を信頼し得るように阻止する。加えて、保持フレーム６はカバーまたはハウジングならびにケーブル、パイプ等用のキャリヤとして役立つことができる。支持力を増加するために、少なくともさらに１対のケーブルがまた設けられてもよく、前記対のケーブルは支持ケーブル１の上方に配置されかつ保持フレーム６はまたそれらに取着される。このさらに他の対のケーブルは負荷の幾らかを吸収する。加えて、この対のケーブルは支持ケーブルのさらに他の位置的安定性を引き起こす。最後に、このさらに他の対のケーブルはカバーまたはハウジング用のキャリヤとして役立つ。
【００２０】
【発明の効果】
叙上のごとく、本発明は、その運動方向に関連して横方向に方向付けられる支持ビームがそれに取着されるコンベヤベルトを有し、かつまた互いに垂直距離において配置され、各々２本の支持ケーブルによって形成されかつ前記支持ビームの横方向端部に配置されるローラがそれに沿って動かされ得る２つの支持ウェブを有する物品を搬送するためのコンベヤ装置において、前記支持ケーブルが多数の保持フレームによって互いに接続される構成としたので、十分な作動が望ましくない風の状態下でも保証される範囲に改善することができるコンベヤ装置を提供する。
【図面の簡単な説明】
【図１】本発明による装置の部分を示す不等角投影図である。
【図２】図１による装置の正面図である。
【図３】図１による装置の側面図である。
【図４】取着クランプを示す側面図である。
【図５】図４による取着クランプの線ＩＶ−ＩＶに沿う断面図である。
【符号の説明】
１  支持ケーブル
２  支持ケーブル
３  支持ローラ
４  支持ビーム
５  コンベヤベルト
６  保持フレーム
７  クランプ
８  案内装置
６１  垂直ビーム
６２  垂直ビーム
６３  水平支柱
６４  水平支柱
６５  水平支柱
６６  水平支柱
７１  締め付け顎部
７５  支持クリップ
８１  案内装置
【図１】
0004015514.tif 000002
【図２】
0004015514.tif 000003
【図３】
0004015514.tif 000004
【図４】
0004015514.tif 000005
【図５】
0004015514.tif 000006